(57)【要約】【課題】  各種ノイズの影響を受けることがなく、また、Ｄ級増幅した際のパルス成分によるスイッチングノイズが外部に輻射されることがないヘッドホン装置を提供する。【解決手段】  ディジタル信号をＰＷＭ信号に変換するディジタル変換器１２３と、前記ディジタル変換器からのＰＷＭ信号を増幅するＤ級増幅器１２４と、前記Ｄ級増幅器からのＰＷＭ信号をフィルタ手段を介さずに受けて音声を再生する音響ユニット１３０と、前記音響ユニットを収容するケース１１０と、を備えたヘッドホン装置であって、前記ケースは金属もしくは金属化合物の少なくとも一方を含む物質を有する材料で構成されており、該ケースと前記音響ユニットとの間の空間内に前記ディジタル変換器及び前記Ｄ級増幅器が配置されている、ことを特徴とする。【選択図】  図１
2006094146.tif 000002
【特許請求の範囲】
【請求項１】
ディジタル信号をＰＷＭ信号に変換するディジタル変換器と、
前記ディジタル変換器からのＰＷＭ信号を増幅するＤ級増幅器と、
前記Ｄ級増幅器からのＰＷＭ信号をフィルタ手段を介さずに受けて音声を再生する音響ユニットと、
前記音響ユニットを収容するケースと、を備えたヘッドホン装置であって、
前記ケースは金属もしくは金属化合物の少なくとも一方を含む物質を有する材料で構成されており、該ケースと前記音響ユニットとの間の空間内に前記ディジタル変換器及び前記Ｄ級増幅器が配置されている、
ことを特徴とするヘッドホン装置。
【請求項２】
前記ケースは、前記音響ユニットのフレームを兼用している、
ことを特徴とする請求項１記載のヘッドホン装置。
【請求項３】
前記ディジタル変換器は、前記Ｄ級増幅器が増幅する際のサンプリング周波数と同一または含まれるサンプリング周波数のＰＷＭ信号に変換する、
ことを特徴とする請求項１または請求項２に記載のヘッドホン装置。
【発明の詳細な説明】
【技術分野】
【０００１】
本発明はヘッドホン装置に関し、特に、ディジタル信号の供給を受けて音声を再生することが可能なヘッドホン装置に関する。
【背景技術】
【０００２】
携帯用のＣＤプレーヤ、ＭＤプレーヤあるいはディジタル圧縮音声データ再生機器などの各種の機器において、インイヤー型やネックバンド式などのヘッドホンが使用されている。
【０００３】
この種の機器では、ディジタル録音された音楽データなどを再生機器内部でＤ−Ａ変換し、さらに、再生時に十分な音量が得られる程度にアナログ信号を増幅してから、ヘッドホンに対して出力するようにしている。なお、この種のヘッドホンに関しては、たとえば、以下の特許文献１に記載されている。
【特許文献１】特開平１０−６６１８１号公報（第１頁、図１）
【発明の開示】
【発明が解決しようとする課題】
【０００４】
以上の一般的なヘッドホンを使用する場合、再生機器側でＤ−Ａ変換とアナログ音声増幅とを行っており、アナログ音声信号を数十ｃｍ程度のコードを介してヘッドホンに供給している。
【０００５】
この場合、再生機器内部で発生する各種ノイズがアナログ信号に影響を与え、音質やダイナミックレンジ等に悪影響を与えることがある。また、ヘッドホン使用者の近傍に存在する携帯電話機などからの高周波信号も、ヘッドホンのコードがアンテナとして作用する結果、この高周波信号がヘッドホンコードを介してアナログ信号に悪影響を与えることがある。
【０００６】
また、近年は再生機器の低消費電力の観点から、アナログ増幅にはＤ級増幅器が使用されてきている。このＤ級増幅器では、音声信号の１０倍以上のサンプリング周波数のパルスを使用して、高速のスイッチングによって音声信号の増幅を行うものである。そして、このＰＷＭ変調された出力信号をローパスフィルタでフィルタリングして、サンプリング周波数成分を除去し、音声信号の周波数成分のみを出力するようにしている。
【０００７】
しかし、このローパスフィルタによるフィルタリングが十分でないと、ヘッドホンのコードを介して、Ｄ級増幅されたパルス成分が、スイッチングノイズとして外部に輻射されてしまうことになる。
【０００８】
本発明は、以上のような課題を解決するためになされたものであって、再生機器内部で発生する各種ノイズあるいは外部からの各種ノイズの影響を受けることがなく、また、Ｄ級増幅した際のパルス成分によるスイッチングノイズが外部に輻射されることがないヘッドホン装置を提供することを目的とする。
【課題を解決するための手段】
【０００９】
以上の課題を解決する本発明は、以下に記載するようなものである。
（１）請求項１記載の発明は、ディジタル信号をＰＷＭ信号に変換するディジタル変換器と、前記ディジタル変換器からのＰＷＭ信号を増幅するＤ級増幅器と、前記Ｄ級増幅器からのＰＷＭ信号をフィルタ手段を介さずに受けて音声を再生する音響ユニットと、前記音響ユニットを収容するケースと、を備えたヘッドホン装置であって、前記ケースは金属もしくは金属化合物の少なくとも一方を含む物質を有する材料で構成されており、該ケースと前記音響ユニットとの間の空間内に前記ディジタル変換器及び前記Ｄ級増幅器が配置されている、ことを特徴とするヘッドホン装置である。
【００１０】
この発明では、ＰＣＭ信号などの各種ディジタル信号を音響ユニットにて音声として再生する際に、音響ユニットを収容する金属・金属化合物含有材料ケースと音響ユニットとの間に配置されたディジタル変換器及びＤ級増幅器を使用し、ＰＣＭ信号などの各種ディジタル信号をディジタル変換器でＰＷＭ信号に変換し、このＰＷＭ信号をＤ級増幅器でＤ級増幅して、Ｄ級増幅器からのＰＷＭ信号をフィルタ手段を介さずに音響ユニットに供給する。
【００１１】
（２）請求項２記載の発明は、請求項１において、前記ケースは、前記音響ユニットのフレームを兼用している、ことを特徴とする。
この発明では、ＰＣＭ信号などの各種ディジタル信号を音響ユニットにて音声として再生する際に、音響ユニットを収容すると共にフレームを構成する金属・金属化合物含有材料ケースと音響ユニットとの間に配置されたディジタル変換器及びＤ級増幅器を使用し、ＰＣＭ信号などの各種ディジタル信号をディジタル変換器でＰＷＭ信号に変換し、このＰＷＭ信号をＤ級増幅器でＤ級増幅して、Ｄ級増幅器からのＰＷＭ信号をフィルタ手段を介さずに音響ユニットに供給する。
【００１２】
（３）請求項３記載の発明は、請求項１または請求項２において、前記ディジタル変換器は、前記Ｄ級増幅器が増幅する際のサンプリング周波数と同一または含まれるサンプリング周波数のＰＷＭ信号に変換する、ことを特徴とする。
【００１３】
この発明では、ＰＣＭ信号などの各種ディジタル信号を音響ユニットにて音声として再生する際に、音響ユニットを収容する金属・金属化合物含有材料ケースと音響ユニットとの間に配置されたディジタル変換器及びＤ級増幅器を使用し、ＰＣＭ信号などの各種ディジタル信号をディジタル変換器でＰＷＭ信号に変換し、このＰＷＭ信号をＤ級増幅器でＤ級増幅して、Ｄ級増幅器からのＰＷＭ信号をフィルタ手段を介さずに音響ユニットに供給する。そして、この際に、ディジタル変換器では、Ｄ級増幅器のサンプリング周波数と同一、あるいは、含まれるサンプリング周波数のＰＷＭ信号に変換する。これにより、ＰＣＭ信号などの各種ディジタル信号が、ＰＷＭ信号としてＤ級増幅器で増幅される。
【発明の効果】
【００１４】
（１）請求項１記載の発明では、音響ユニットを収容するケースが金属もしくは金属化合物の少なくとも一方を含む物質を有する材料で構成されており、該ケースと音響ユニットとの間の空間内にディジタル変換器及びＤ級増幅器が配置されており、ディジタル信号をディジタル変換器でＰＷＭ信号に変換し、このＰＷＭ信号をＤ級増幅器でＤ級増幅して、Ｄ級増幅器から出力されるＰＷＭ信号はフィルタ手段を介さずに音響ユニットに供給され、音響ユニットにて音声として再生する。
【００１５】
ここで、音響ユニットを収容するケースが金属もしくは金属化合物の少なくとも一方を含む物質を有する材料で構成されており、該ケースと音響ユニットとの間の空間内にディジタル変換器及びＤ級増幅器が配置されているため、該ケース内でＰＷＭ信号へのディジタル変換とＤ級増幅が実行されることになるので、再生機器内部で発生する各種ノイズあるいは外部からの各種ノイズの影響を受けることがない。
【００１６】
また、音響ユニットを収容するケースが金属もしくは金属化合物の少なくとも一方を含む物質を有する材料で構成されており、該ケースと音響ユニットとの間の空間内にディジタル変換器及びＤ級増幅器が配置されているため、かつ、Ｄ級増幅器と音響ユニットとがケースでシールドされた状態になっているため、Ｄ級増幅した際のパルス成分によるスイッチングノイズが外部に輻射されることがない。
【００１７】
さらに、以上のようにケース内にＤ級増幅器と音響ユニットとが配置されていて、Ｄ級増幅する際のパルス成分によるスイッチングノイズが外部に輻射されなくなっているため、Ｄ級増幅器からフィルタ手段を介さずに音響ユニットにＰＷＭ信号を供給することが可能になり、ヘッドホン装置を小型化することが可能になり、フィルタによる音質劣化を発生させることがなくなる。
【００１８】
（２）請求項２記載の発明では、ＰＣＭ信号などの各種ディジタル信号を音響ユニットにて音声として再生する際に、音響ユニットを収容すると共にフレームを構成する金属・金属化合物含有材料ケースと音響ユニットとの間に配置されたディジタル変換器及びＤ級増幅器を使用し、ＰＣＭ信号などの各種ディジタル信号をディジタル変換器でＰＷＭ信号に変換し、このＰＷＭ信号をＤ級増幅器でＤ級増幅して、Ｄ級増幅器からのＰＷＭ信号をフィルタ手段を介さずに音響ユニットに供給する。
【００１９】
ここで、音響ユニットを収容するケースが金属もしくは金属化合物の少なくとも一方を含む物質を有する材料で音響ユニットのフレームとして構成されており、該ケースと音響ユニットとの間の空間内にディジタル変換器及びＤ級増幅器が配置されているため、該ケース内でＰＷＭ信号へのディジタル変換とＤ級増幅が実行されることになるので、再生機器内部で発生する各種ノイズあるいは外部からの各種ノイズの影響を受けることがない。
【００２０】
また、音響ユニットのフレームがケースとして金属もしくは金属化合物の少なくとも一方を含む物質を有する材料で構成されており、該ケースと音響ユニットとの間の空間内にディジタル変換器及びＤ級増幅器が配置されているため、かつ、Ｄ級増幅器と音響ユニットとがケースでシールドされた状態になっているため、Ｄ級増幅した際のパルス成分によるスイッチングノイズが外部に輻射されることがない。
【００２１】
さらに、以上のようにフレーム兼ケース内にＤ級増幅器と音響ユニットとが配置されていて、Ｄ級増幅する際のパルス成分によるスイッチングノイズが外部に輻射されなくなっているため、Ｄ級増幅器からフィルタ手段を介さずに音響ユニットにＰＷＭ信号を供給することが可能になり、ヘッドホン装置を小型化することが可能になり、フィルタによる音質劣化を発生させることがなくなる。また、フレーム兼ケースであることによっても、小型化を促進することが可能になる。
【００２２】
（３）請求項３記載の発明では、ＰＣＭ信号などの各種ディジタル信号を音響ユニットにて音声として再生する際に、音響ユニットを収容する金属・金属化合物含有材料ケースと音響ユニットとの間に配置されたディジタル変換器及びＤ級増幅器を使用し、ＰＣＭ信号などの各種ディジタル信号をディジタル変換器でＤ級増幅に適したサンプリング周波数のＰＷＭ信号に変換し、このＰＷＭ信号をＤ級増幅器でＤ級増幅して、Ｄ級増幅器からのＰＷＭ信号をフィルタ手段を介さずに音響ユニットに供給する。
【００２３】
ここで、ディジタル変換器で、Ｄ級増幅器のサンプリング周波数と同一あるいは含まれるサンプリング周波数のＰＷＭ信号に変換しているため、効率よく増幅される。このため、再生機器内部で発生する各種ノイズあるいは外部からの各種ノイズの影響を受けることがない。
【発明を実施するための最良の形態】
【００２４】
以下、図面を参照して本発明を実施するための最良の形態（以下、実施形態）を詳細に説明する。ここでは、ＰＣＭ信号などの各種ディジタル信号の供給を受け、ヘッドホン装置内部でＰＷＭ信号へのディジタル変換と増幅とを行って音声の出力を行うヘッドホン装置の実施形態について説明する。
【００２５】
図１は実施形態のヘッドホン装置１００とその周辺機器の電気的構成を示すブロック図である。この図１において、１０は携帯用のＣＤプレーヤ、ＭＤプレーヤあるいはディジタル圧縮音声データ再生機器などの各種の再生機器である。
【００２６】
この再生機器１０は、各種記録媒体や放送からのディジタル信号を出力するディジタル信号出力部１１と、ディジタル信号を外部に出力するためのインタフェースとしてのＩ／Ｆ部１２と、後述するヘッドホン装置に電源を供給する電源部１３とを備えて構成されている。このディジタル信号出力部１１からは、ＰＣＭ信号などのディジタル信号が出力される。
【００２７】
２０は信号ケーブルであり、再生機器１０からヘッドホン装置１００へディジタル信号を伝達するディジタル信号線２１と、再生機器１０からヘッドホン装置１００へ電源供給を行う電源供給線２２とから構成されている。
【００２８】
１００は本実施形態のヘッドホン装置であり、信号ケーブル２０を介して再生機器１０からディジタル信号の供給を受け、ヘッドホン装置内部でＰＷＭ信号へのディジタル変換と増幅とを行って音声の出力を行う機能を有している。
【００２９】
１１０は音響ユニットを収容するため、金属もしくは金属化合物の少なくとも一方を含む物質を有する材料で構成されたケースである。
ここで、金属化合物とは、フェライトなどの金属酸化物のような各種金属化合物である。また、金属もしくは金属化合物の少なくとも一方を含む物質とは、金属そのもの、焼結体としての金属酸化物そのもののような金属化合物、あるいは、プラスチック等の非金属材料に金属粉末や金属酸化物粉末が混入された物質などを意味する。さらに、金属もしくは金属化合物の少なくとも一方を含む物質を有する材料としては、プラスチック等の非金属材料や非金属酸化物に金属粉末や金属酸化物粉末が塗布された材料、プラスチック等の非金属材料に金属メッキされた材料、プラスチック等の非金属材料に金属フィルムやフィルム状金属酸化物が貼付された材料などが該当する。そして、このような材料を用いることにより、電磁波を遮断、反射、吸収することによりシールドすることが可能である。
【００３０】
１２０は後述する各種回路を含む回路部であり、Ｉ／Ｆ１２２、ディジタル変換器１２３、Ｄ級増幅器１２４などを含んで構成されている。なお、この回路部１２０は基板１２１（図２参照）上に配置されている。
【００３１】
ここで、Ｉ／Ｆ１２２は、再生機器１０からのディジタル信号の入力を受け付ける働きをするインタフェースである。
ディジタル変換器１２３は、Ｉ／Ｆ１２２を介して入力されたＰＣＭ信号などの各種ディジタル信号をＰＷＭ信号にディジタル変換する。なお、ここでのディジタル変換は、ＰＣＭ信号などの各種ディジタル信号を、Ｄ級増幅器のサンプリング周波数と同一または含まれるサンプリング周波数のＰＷＭ信号に変換することである。
【００３２】
Ｄ級増幅器１２４はディジタル変換器１２３からのＰＷＭ信号をＤ級増幅により増幅する。なお、Ｄ級増幅器１２４のサンプリング周波数が一種類であれば、ディジタル変換器１２３はＤ級増幅器１２４のサンプリング周波数と同一サンプリング周波数のＰＷＭ信号へのディジタル変換を実行する。また、Ｄ級増幅器１２４のサンプリング周波数が複数種類、あるいは、追従可能な周波数範囲を有する場合であれば、ディジタル変換器１２３はＤ級増幅器１２４のサンプリング周波数に含まれるサンプリング周波数のＰＷＭ信号へのディジタル変換を実行する。
【００３３】
１３０は電気信号を振動板の振動に変換して音声を出力する電気音響変換素子としての音響ユニットである。この音響ユニット１３０は、Ｄ級増幅器１２４からのＰＷＭ信号を、フィルタ手段を介さずに受けて音声を再生するように接続されている。
【００３４】
図２は実施形態のヘッドホン装置１００の主要構成部品である回路部１２０と音響ユニット１３０との機械的断面構成を示す一部断面図である。この図２において、１１０は音響ユニット１３０を収容するため、前述したように、金属もしくは金属化合物の少なくとも一方を含む物質を有する材料で構成されたケースである。
【００３５】
１１１は音響ユニットの振動板を保護するために、振動板１３８が音声を出力する方向に配置されたプロテクタであり、音を通過させるために１または複数の穴が設けられている。
【００３６】
１２０はＩ／Ｆ１２２、ディジタル変換器１２３、Ｄ級増幅器１２４などを含んで構成された回路部であり、この回路部１２０は基板１２１（図２参照）上に配置され、ケース１１０と前記音響ユニット１３０との間の空間内に配置されている。この図２では、振動板の背面方向であって、マグネットの周囲に存在するドーナツ状の空間に回路部１２０が配置されている。
【００３７】
１３０は電気信号を振動板の振動に変換して音声を出力する電気音響変換素子としての音響ユニットである。この音響ユニット１３０は、Ｄ級増幅器１２４からのＰＷＭ信号を、ローパスフィルタなどのフィルタ手段を介さずに受けて音声を再生するように接続されている。
【００３８】
１３１は音響ユニット１３０のフレーム、１３２は音響ユニット１３０のマグネット部を保持するホルダ、１３３は磁気回路を構成するホールピース、１３４は磁気回路を構成するマグネット、１３５は磁気回路を構成するホールピース、１３７は磁気回路を構成するヨーク、１３８はアナログ信号に応じて振動して音声を出力する振動板、１３９はアナログ信号の供給を受けて磁気回路間で振動することで振動板１３８を駆動するボイスコイルである。
【００３９】
なお、マグネット１３４、ホールピース１３３，１３５、ヨーク１３７、ボイスコイル１３９の構成や配置や動作原理は一例であり、音響ユニット１３０として各種の変形が可能である。
【００４０】
図３は実施形態のヘッドホン装置１００をインイヤーヘッドホンとして構成した場合の外観構成の一例を示す説明図である。ここでは、図２のヘッドホン装置１００のケース１１０の外側を覆うようにハウジング１１２が構成されており、プロテクタ１１１の反対側のハウジング１１２の一端から信号ケーブル２０が外部に延びている。
【００４１】
なお、後述するようなノイズに対する特性を満足するため、ステレオヘッドホンに適用する場合には、左右それぞれでケース１１０と音響ユニット１３０との間の空間に回路部１２０を配置することが望ましい。
【００４２】
〈ヘッドホン装置の動作〉
以上のように構成されたヘッドホン装置１００では、Ｉ／Ｆ１２２を介して再生機器１０から受信したＰＣＭ信号などの各種ディジタル信号を、ディジタル変換器１２３でＰＷＭ信号に変換する。
【００４３】
なお、Ｄ級増幅器１２４のサンプリング周波数が一種類であれば、ディジタル変換器１２３はＤ級増幅器１２４のサンプリング周波数と同一サンプリング周波数のＰＷＭ信号へのディジタル変換を実行する。また、Ｄ級増幅器１２４のサンプリング周波数が複数種類、あるいは、追従可能な周波数範囲を有する場合であれば、ディジタル変換器１２３はＤ級増幅器１２４のサンプリング周波数に含まれるサンプリング周波数のＰＷＭ信号へのディジタル変換を実行する。
【００４４】
そして、Ｄ級増幅器１２４により、このＰＷＭ信号を、音声信号の上限周波数（２０ｋＨｚ）の１０倍以上のサンプリング周波数のパルスを使用して、ＦＥＴなどの電力素子の高速のスイッチングによって増幅し、増幅されたＰＷＭ信号をフィルタ手段を介さずに音響ユニット１３０に供給する。
【００４５】
なお、上述したように、ディジタル変換器１１２３では、Ｄ級増幅器１１２４のサンプリング周波数に合致するサンプリング周波数のＰＷＭ信号へのディジタル変換を実行している。このため、ディジタル変換器１１２３からのＰＷＭ信号でＤ級増幅器１１２４を直接駆動することが可能になっている。
【００４６】
ここで、音響ユニット１３０は音声信号の上限周波数より高い周波数成分を再生することはできないため、Ｄ級増幅器１２４の出力が上述したサンプリング周波数のパルス成分であっても、そこに含まれる音声信号の周波数成分のみが音声として振動板１３８から出力される。
【００４７】
ここで、音響ユニット１３０を収容するケース１１０が金属もしくは金属化合物の少なくとも一方を含む物質を有する材料で構成されており、該ケースと音響ユニットとの間の空間内にＩ／Ｆ１２２，ディジタル変換器１２３及びＤ級増幅器１２４が配置されているため、該ケース１１０内でＰＷＭ信号へのディジタル変換とＤ級増幅が実行されることになるので、再生機器１０内部で発生する各種ノイズあるいは外部からの各種ノイズの影響を受けることがない。
【００４８】
また、音響ユニット１３０を収容するケース１１０が金属もしくは金属化合物の少なくとも一方を含む物質を有する材料で構成されており、該ケース１１０と音響ユニット１３０との間の空間内にＩ／Ｆ１２２，ディジタル変換器１２３及びＤ級増幅器１２４が配置されており、かつ、Ｄ級増幅器１２４と音響ユニット１３０とが近距離に配置されていて、さらに、ケース１１０でシールドされた状態になっているため、Ｄ級増幅した際のパルス成分によるスイッチングノイズが外部に輻射されることがない。
【００４９】
さらに、以上のようにケース１１０内にＤ級増幅器１２４と音響ユニット１３０とが配置されていて、Ｄ級増幅する際のパルス成分によるスイッチングノイズが外部に輻射されなくなっているため、Ｄ級増幅器１２４からフィルタ手段を介さずに音響ユニット１３０にＰＷＭ信号を供給することが可能になり、ヘッドホン装置を小型化することが可能になる。また、フィルタ手段を使用しなくて済むため、フィルタによる音質劣化を発生させることがなくなる。
【００５０】
なお、再生機器１０からヘッドホン装置１００への信号ケーブル２０にはディジタル信号が流れているが、低レベルの信号であるため、ノイズ輻射の心配はない。なお、この信号ケーブル２０のディジタル信号線２１に外部からのノイズが混入したとしても、Ｉ／Ｆ１２２やディジタル変換器１２３での処理により、サンプリング周波数以外の成分は除去されるため、なんら悪影響を受けることはない。
【００５１】
図４は音響ユニット１３０の変形例を示す一部断面構成図である。また、図５は音響ユニット１３０の他の変形例を示す一部断面構成図である。ここでは、ケース１１０は、前述した実施形態の図１におけるフレーム１３１を兼用していることを特徴とする。
【００５２】
ここで、音響ユニット１３０を収容するケース１１０が金属もしくは金属化合物の少なくとも一方を含む物質を有する材料で音響ユニットのフレームとして構成されており、該ケース１１０と音響ユニット１３０との間の空間内にＩ／Ｆ１２２，ディジタル変換器１２３及びＤ級増幅器１２４が配置されているため、該ケース１１０内でＰＷＭ信号へのディジタル変換とＤ級増幅が実行されることになるので、再生機器１０内部で発生する各種ノイズあるいは外部からの各種ノイズの影響を受けることがない。
【００５３】
また、音響ユニット１３０のフレームがケース１１０として金属もしくは金属化合物の少なくとも一方を含む物質を有する材料で構成されており、該ケース１１０と音響ユニット１３０との間の空間内にＩ／Ｆ１２２，ディジタル変換器１２３及びＤ級増幅器１２４が配置されているため、Ｄ級増幅した際のパルス成分によるスイッチングノイズが外部に輻射されることがない。
【００５４】
さらに、以上のようにフレーム兼用のケース１１０内にＤ級増幅器１２４と音響ユニット１３０とが配置されていて、Ｄ級増幅する際のパルス成分によるスイッチングノイズが外部に輻射されなくなっているため、Ｄ級増幅器１２４からフィルタ手段を介さずに音響ユニットにＰＷＭ信号を供給することが可能になる。これにより、フィルタ手段のためにコイルやコンデンサなどの部品を使用する必要がなくなるため、ヘッドホン装置１００を小型化することが可能になる。さらに、フィルタによる音質劣化を発生させることがなくなる。また、フレーム兼用のケース１１０であることによっても、小型化を促進することが可能になる。
【００５５】
〈その他の実施形態〉
以上の実施形態では、インイヤー型のヘッドホン装置１００の具体例を図３に示したが、これ以外に、ネックバンド式やヘッドバンド式の各種ヘッドホン装置として実施形態を適用することが可能である。
【００５６】
また、ヘッドホン装置１００への電源供給を再生機器１０から行うかわりに、ヘッドホン装置１００内にリチウム電池や燃料電池等の小型軽量の電池を設けて電源供給を行うことも可能である。このようにすることで信号ケーブル２０に電源供給線２２が不要になる。このため、ディジタル信号線として光ケーブルを使用することが可能になる。
【図面の簡単な説明】
【００５７】
【図１】本発明の実施形態のヘッドホン装置の電気的な構成を示す機能ブロック図である。
【図２】本発明の実施形態のヘッドホン装置の主要部である音響ユニットの回路部を含む断面構成を示す構成図である。
【図３】本発明の実施形態のヘッドホン装置の外観構成を示す構成図である。
【図４】本発明の実施形態のヘッドホン装置の主要部である音響ユニットの回路部を含む断面構成の他の例を示す構成図である。
【図５】本発明の実施形態のヘッドホン装置の主要部である音響ユニットの回路部を含む断面構成の他の例を示す構成図である。
【符号の説明】
【００５８】
１０  再生機器
２０  信号ケーブル
２１  ディジタル信号線
２２  電源供給線
１００  ヘッドホン装置
１１０  ケース
１２０  回路部
１２２  Ｉ／Ｆ
１２３  ディジタル変換器
１２４  Ｄ級増幅器
１３０  音響ユニット
【図１】
2006094146.tif 000003
【図２】
2006094146.tif 000004
【図３】
2006094146.tif 000005
【図４】
2006094146.tif 000006
【図５】
2006094146.tif 000007